(57)【要約】【課題】コネクタの嵌合状態を容易に確認可能な照明装置、表示装置、および、テレビ受信装置。【解決手段】光源２５を実装面２６Ａに実装した光源基板２６と、光源基板２６のうち実装面２６Ａと反対側の反対面２６Ｂに配された被給電部４７と、被給電部４７と導通接続されるとともに光源基板２６に沿って延びる給電部材５０，Ｗと、を備える照明装置２０であって、光源基板２６のうち給電部材５０、Ｗに対応する領域内に、実装面２６Ａ側から給電部材５０、Ｗを視認するための視認用貫通孔２８が設けられている。【選択図】図７
2020047546.tif 000002
【特許請求の範囲】
【請求項１】
光源を実装面に実装した光源基板と、
前記光源基板のうち前記実装面と反対側の反対面に配された被給電部と、
前記被給電部と導通接続されるとともに前記光源基板に沿って延びる給電部材と、
を備える照明装置であって、
前記光源基板のうち前記給電部材に対応する領域内に、前記実装面側から前記給電部材を視認するための視認用貫通孔が設けられている照明装置。
【請求項２】
前記被給電部は基板側コネクタのコネクタ嵌合部であり、
前記給電部材は、前記コネクタ嵌合部に嵌合された給電側コネクタと、当該給電側コネクタから延出された配線であり、
前記視認用貫通孔は、前記光源基板のうち、前記基板側コネクタと嵌合された状態の前記給電側コネクタおよび前記配線の少なくとも一方に対応する領域内に設けられている請求項１に記載の照明装置。
【請求項３】
前記基板側コネクタは、前記光源基板に設けられたコネクタ挿通孔に挿通されて前記実装面に形成された配線パターンに接続されている請求項２に記載の照明装置。
【請求項４】
前記視認用貫通孔は前記コネクタ挿通孔と分離されている請求項３に記載の照明装置。
【請求項５】
前記給電側コネクタは、前記光源基板に沿う方向から前記コネクタ嵌合部に嵌合されているとともに、前記配線は、前記光源基板に沿う方向に配索されており、
前記視認用貫通孔は、前記給電側コネクタと前記配線との境界部を含む領域に設けられている請求項２から請求項４のいずれか一項に記載の照明装置。
【請求項６】
前記光源基板の前記実装面に、前記給電側コネクタが前記コネクタ嵌合部に嵌合された状態における前記境界部の位置を示す目印が設けられている請求項５に記載の照明装置。
【請求項７】
前記視認用貫通孔は、前記基板側コネクタに対する前記給電側コネクタの嵌合方向を指し示す矢印状とされている請求項２から請求項６のいずれか一項に記載の照明装置。
【請求項８】
前記視認用貫通孔は前記光源基板の正規の向きを指し示す矢印状とされている請求項２から請求項６のいずれか一項に記載の照明装置。
【請求項９】
請求項１から請求項８のいずれか一項に記載の照明装置と、表示パネルと、を備える表示装置。
【請求項１０】
請求項９に記載の表示装置を備えるテレビ受信装置。
【発明の詳細な説明】
【技術分野】
【０００１】
本発明は、照明装置、表示装置、および、テレビ受信装置に関する。
【背景技術】
【０００２】
携帯電話、スマートフォン、タブレット型ノートパソコンなどの携帯型の情報端末装置やコンピュータなどの電子機器、テレビ受信装置等には、液晶パネルなどの表示パネルを備えた表示装置が用いられている。表示装置は、これに用いる液晶パネルが自発光しないため、別途に照明装置としてバックライト装置を必要としている。バックライト装置の一例として、液晶パネルに対してその背面から光を直接供給する直下型のバックライト装置が知られている。
【０００３】
このようなバックライト装置は、例えば光源としてのＬＥＤと、ＬＥＤを実装したＬＥＤ基板とが、液晶パネル側の面が開口したシャーシ内に収容されるとともに、ＬＥＤと対向するようにシャーシの開口部を覆う形で光学部材が配されて、ＬＥＤが発する光を効率的に液晶パネル側へ放出させるようになっている。このようなバックライト装置の一例として、下記特許文献１に記載されたものが知られている。ＬＥＤ基板は、ＬＥＤ基板の裏面に設けた基板側のコネクタに給電側のコネクタが接続されることにより、電源から電力が給電されるようになっている。
【先行技術文献】
【特許文献】
【０００４】
【特許文献１】特開２０１２−１８８０９号公報
【発明の概要】
【発明が解決しようとする課題】
【０００５】
ところで、近年、液晶表示装置の大画面化が進むのに伴い、電源に接続するＬＥＤ基板の数が多くなるとともに、その接続に係る作業が煩雑なものとなる傾向にある。このため、給電側のコネクタをＬＥＤ基板側のコネクタに接続する際に、半挿入状態とされて接続不良が生じたり、コネクタ自体を挿入し忘れる事態が増加している。組立作業の途中でコネクタ同士が正規の状態で嵌合されているかどうかを確認するためには、液晶表示装置を表裏反転させたり、また、キャビネットの組み付け後ではキャビネットを一旦取り外したりしなければならず、作業効率や生産性を悪化させる要因となっていた。
【０００６】
本明細書で開示される技術は、コネクタの嵌合状態を容易に確認可能な照明装置、表示装置、および、テレビ受信装置を提供することを目的とする。
【課題を解決するための手段】
【０００７】
本発明は、光源を実装面に実装した光源基板と、前記光源基板のうち前記実装面と反対側の反対面に配された被給電部と、前記被給電部と導通接続されるとともに前記光源基板に沿って延びる給電部材と、を備える照明装置であって、前記光源基板のうち前記給電部材に対応する領域内に、前記実装面側から前記給電部材を視認するための視認用貫通孔が設けられている。
【発明の効果】
【０００８】
本発明によれば、コネクタの嵌合状態を容易に確認可能な照明装置、表示装置、および、テレビ受信装置が得られる。
【図面の簡単な説明】
【０００９】
【図１】実施形態１のテレビ受信装置の概略構成を示す分解斜視図
【図２】液晶表示装置の概略構成を示す分解斜視図
【図３】嵌合状態の基板側コネクタおよび給電側コネクタの拡大縦断面図
【図４】ＬＥＤ基板の要部拡大平面図
【図５】ＬＥＤ基板の実装面側から視た嵌合状態の基板側コネクタおよび給電側コネクタの拡大平面図
【図６】ＬＥＤ基板の実装面側から視た半嵌合状態の基板側コネクタおよび給電側コネクタの拡大平面図
【図７】実施形態２の、ＬＥＤ基板の実装面側から視た嵌合状態の基板側コネクタおよび給電側コネクタの拡大平面図
【図８】実施形態３の、ＬＥＤ基板の実装面側から視た嵌合状態の基板側コネクタおよび給電側コネクタの拡大平面図
【図９】実施形態３の変形例の、ＬＥＤ基板の実装面側から視た嵌合状態の基板側コネクタおよび給電側コネクタの拡大平面図
【発明を実施するための形態】
【００１０】
＜実施形態１＞
本発明の実施形態１を図１から図６によって説明する。本実施形態では、バックライト装置２０と、それを用いた液晶表示装置１０を備えるテレビ受信装置１０ＴＶについて例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００１１】
（テレビ受信装置１０ＴＶ）
本実施形態に係るテレビ受信装置１０ＴＶは、図１に示すように、液晶表示装置１０（表示装置の一例）と、当該液晶表示装置１０を挟むようにして収容する表裏両キャビネット１０ＣＡ，１０ＣＢと、電源１０Ｐと、テレビ信号を受信するチューナー（受信部）１０Ｔと、スタンド１０Ｓと、を備えて構成される。
【００１２】
（液晶表示装置１０）
液晶表示装置１０は、全体として横長（長手）の方形状（矩形状）をなし、縦置き状態で設置されている。この液晶表示装置１０は、図２に示すように、画像を表示する液晶パネル１１（表示パネルの一例）と、液晶パネル１１に対して裏側に配されるとともに液晶パネル１１に表示のための光を供給する外部光源であるバックライト装置２０（照明装置の一例）と、を備え、これらが枠状のベゼル１２などにより一体的に保持されるようになっている。
【００１３】
（液晶パネル１１）
液晶パネル１１は、詳細な図示は省略するが、一対の横長な方形状（矩形状、長方形状）の基板が所定のギャップを隔てた状態で貼り合わせられるとともに、両基板間に液晶層が配された周知の構成とされる。両基板は、それぞれ無アルカリガラス等からなる透光性に優れたガラス基板を備えており、それぞれのガラス基板上に既知のフォトリソグラフィ法等によって複数の膜が積層されてなる。
【００１４】
一対の基板のうち裏側（図２の下方）に配される基板はアレイ基板であり、互いに直交するソース配線とゲート配線とに接続されたスイッチング素子（例えばＴＦＴ）と、そのスイッチング素子に接続された画素電極、さらには配向膜等が設けられている。また、表側（図２の上方）に配される基板はＣＦ基板であり、Ｒ（赤色），Ｇ（緑色），Ｂ（青色）等の各着色部が所定配列で配置されたカラーフィルタや対向電極、さらには配向膜等が設けられている。また、両基板の外側には偏光板が配されている。液晶パネル１１は、バックライト装置２０から供給される光を利用して画像を表示することができ、その表側が出光側とされている。なお、液晶パネル１１における長辺方向がＸ軸方向と一致し、短辺方向がＹ軸方向と一致し、さらに厚さ方向がＺ軸方向と一致している。
【００１５】
（ベゼル１２）
ベゼル１２は例えばアルミニウム等の金属材料からなり、全体としては長方形の枠状をなしている。ベゼル１２は、図２に示すように、液晶パネル１１の外周端部を全周にわたって表側から押さえるパネル押さえ部１２Ａと、パネル押さえ部の外周縁部から裏側に向けて突出するとともにバックライト装置２０を外周側から取り囲む外筒部１２Ｂとから構成されている。液晶パネル１１は、このベゼル１２によってバックライト装置２０との間に挟み込まれて保持されている。
【００１６】
（バックライト装置２０）
バックライト装置２０は、図２に示すように、液晶パネル１１側が開口した略箱型をなすシャーシ２１と、シャーシ２１の開口を覆うようにして配される光学部材２２と、シャーシ２１の外縁部に沿って配され光学部材２２の外縁部をシャーシ２１との間で挟んで保持するフレーム２３とを備える。
【００１７】
シャーシ２１内には、光学部材２２（液晶パネル１１）の直下となる位置に対向状に配される複数のＬＥＤ２５と、複数のＬＥＤ２５が実装されたＬＥＤ基板２６とが備えられる。さらに、シャーシ２１内には、シャーシ２１内の光を光学部材２２側に反射させる反射シート２４が備えられる。このように、本実施形態に係るバックライト装置２０は、いわゆる直下型とされる。ＬＥＤ基板２６は、図示しない保持機構によりシャーシ２１内の所定位置に保持されている。続いて、バックライト装置２０の各構成部品について説明する。
【００１８】
（シャーシ２１）
シャーシ２１は、例えばアルミニウム板や電気亜鉛めっき綱板（ＳＥＣＣ）などの金属製とされ、液晶パネル１１と同様に横長な方形状（矩形状、長方形状）をなす底板２１Ａと、底板２１Ａの各外周縁部からそれぞれ表側（出光側、ＬＥＤ２５が配される側）に向けて立ち上がる側板２１Ｂと、各側板２１Ｂの立ち上がり端から外向き張り出す受け部２１Ｃとからなり、全体としては表側に向けて開口した浅い略箱型（略浅皿状）をなしている。シャーシ２１における各受け部２１Ｃには光学部材２２が載置され、表側からフレーム２３により押さえられている。
【００１９】
（光学部材２２）
光学部材２２はＬＥＤ２５から発する光を均一な面光源に変換するための部材であり、液晶パネル１１およびシャーシ２１と同様に、平面に視て横長の方形状をなしている。光学部材２２は、その外縁部が受け部２１Ｃに載置されることで、シャーシ２１の開口部を覆うとともに、液晶パネル１１とＬＥＤ２５（ＬＥＤ基板２６）との間に介在して配される。
【００２０】
より詳細には、光学部材２２は、ＬＥＤ２５に対して表側、つまり出光側に所定の間隔を空けて対向配置されている。本実施形態の光学部材２２は、裏側（ＬＥＤ２５側）に配される拡散板２２Ａと、表側（液晶パネル１１側、出光側）に配される複数の光学シート２２Ｂとから構成されている。拡散板２２Ａは、所定の厚みを持つほぼ透明な樹脂製で板状をなす基材内に拡散粒子を多数分散して設けた構成とされ、透過する光を拡散させる機能を有する。光学シート２２Ｂは、拡散板２２Ａと比べると板厚が薄いシート状をなしており、例えば２枚が積層して配されている。具体的な光学シート２２Ｂの種類としては、例えば蛍光発光シート、拡散シート、プリズムシート、偏光反射シートなどがあり、これらの中から適宜に選択して使用することが可能である。
【００２１】
（フレーム２３）
フレーム２３は、例えば反射率が高い白色ポリカーボネイト等の樹脂からなり、光学部材２２の外周縁部に沿う枠状をなして、シャーシ２１の受け部２１Ｃとの間で光学部材２２の端部を挟持するとともに、表側に配されるベゼル１２のパネル押さえ部１２Ａとの間で液晶パネル１１の端部を挟持している。また、フレーム２３の外周縁部は表裏に向けて立ち上がっており、ベゼル１２の外筒部１２Ｂの内側において光学部材２２および液晶パネル１１を外周から取り囲んでいる。
【００２２】
（ＬＥＤ２５）
ＬＥＤ２５は、後述するＬＥＤ基板２６上に実装されるとともにその発光面がＬＥＤ基板２６側とは反対側を向いた、いわゆる頂面発光型とされている。ＬＥＤ２５は、発光面が光学部材２２の板面と対向状をなす位置関係にある。ＬＥＤ２５は、ＬＥＤ基板２６の板面に配される基板部上に半導体発光素子であるＬＥＤチップ（ＬＥＤ素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。また、封止する樹脂材に蛍光体が配合されていないＬＥＤを使用することもできるし、そもそも樹脂材で封止されないＬＥＤチップそのものを実装してもよい。この場合は青色発光となるため、光学シート２２Ｂとして蛍光発光シートを使用して白色となるよう調整する必要がある。
【００２３】
（ＬＥＤ基板２６）
図２に示すように、本実施形態では、シャーシ２１内において底板２１Ａに沿って複数のＬＥＤ基板２６（光源基板の一例）が延在しており、全体としてはシャーシ２１の底板２１Ａと同様に横長な方形状（矩形状、長方形状）をなしている。ＬＥＤ基板２６の基材は、ガラスエポキシやポリイミドなどの絶縁材料製とされ、その表面には、銅箔などの金属膜からなる図示しない配線パターンが形成されている。本実施形態においては、Ｘ軸方向に４枚、Ｙ軸方向に２枚の計８枚のＬＥＤ基板２６を使用した例を示しているが、使用するＬＥＤ基板２６の数は本実施形態に限るものではない。なお、ＬＥＤ基板２６の基材に用いる材料としては、金属材料（例えばアルミニウムなど）を用いることも可能である。
【００２４】
各ＬＥＤ基板２６の実装面２６Ａ（表側）には、上述した複数のＬＥＤ２５が長辺方向および短辺方向に沿うようにマトリクス状に並んで配置されており、それら配列間隔はほぼ一定（等間隔）とされている。
【００２５】
（反射シート２４）
ＬＥＤ基板２６の実装面２６Ａには、ＬＥＤ２５に対応する領域にＬＥＤ２５を露出させるための孔部が設けられた反射シート２４が重ね合わされている。反射シート２４は、表面が光の反射性に優れた白色を呈するものとされており、シャーシ２１の底板２１Ａに沿って平面配置された複数のＬＥＤ基板２６を一括して覆う大きさとされている。この反射シート２４により、シャーシ２１内の光を表側（光出射側、光学部材２２側）に向けて反射させることができるようになっている。
【００２６】
（基板側コネクタ３０）
ＬＥＤ基板２６には、後述する給電側コネクタ５０と接続される基板側コネクタ３０が設けられており、シャーシ２１の背面側（底板２１Ａの裏側）に配された図示しないＬＥＤ駆動基板から駆動電力が供給されるようになっている。
【００２７】
基板側コネクタ３０は、図３に示すように、ＬＥＤ基板２６およびシャーシ２１の底板２１Ａ（図３には図示せず）を貫通するコネクタ挿通孔２７に挿通されている。コネクタ挿通孔２７は、基板側コネクタ３０のうち、コネクタ挿通孔２７に貫通している部分より僅かに大きい径とされている。
【００２８】
基板側コネクタ３０は、合成樹脂製で略直方体型の基板側ハウジング３１と、導電材料からなり、基板側ハウジング３１に保持された基板側接続部材４０とを備えている。以下、後述する給電側コネクタ５０との嵌合方向（図３の右側）を前方、嵌合離脱方向（図３の左側）を後方として説明する。
【００２９】
基板側ハウジング３１は全体として略直方体状をなし、ＬＥＤ基板２６の実装面２６Ａ（表面）側に僅かに突出し、反対面２６Ｂ（裏面）側に大きく突出した状態でコネクタ挿通孔２７に挿通されている。基板側ハウジング３１の上端には、例えば図５の平面図に示すように、前方側（図５の右側）に配された一辺の中央部において前方に向けて張り出す前方張出部３２と、後方側（図５の左側）の一対の角部をそれぞれ囲むようにＬ字形状に張り出す後方張出部３３とが形成されており、基板側ハウジング３１がコネクタ挿通孔２７に挿通された状態において、これら前方張出部３２および後方張出部３３がコネクタ挿通孔２７の孔縁部の外周（実装面２６Ａ）に係止することにより、下方（反対面２６Ｂ側、シャーシ２１側）への抜け止めが図られている。なお基板側ハウジング３１は、後方張出部３３の前端付近において実装面２６Ａに対して接着剤やハンダ等（図示せず）により固定されている。
【００３０】
また、基板側ハウジング３１は、ＬＥＤ基板２６の反対面２６Ｂ側において、前方（ＬＥＤ基板２６に沿う方向）に向けて開口したフード部３４を備えている。フード部３４の奥壁３５には、後述する基板側端子４３をフード部３４内に突出させるための端子挿通孔３６が、上下方向に２つ、幅方向（Ｙ軸方向）に６つ、合計１２設けられている。
【００３１】
また、フード部３４の底壁は、幅方向（紙面と直交する方向、Ｙ軸方向）における中央部が前後方向（Ｘ軸方向）の全体にわたって凹状に窪んでおり、その凹状に窪んだ領域の外壁に、前方から後方に向けて傾斜状に立ち上がるとともに幅方向に直線状に延びる係止リブ３７が設けられている。係止リブ３７には、後述する給電側コネクタ５０のロックアーム５５が係止される。
【００３２】
さらに基板側ハウジング３１のうち、上述した前方張出部３２および後方張出部３３が設けられた上端部と、フード部３４との間の領域には、前面から後方に向けて肉抜きされた肉抜き部３８が設けられている。また、肉抜き部３８の奥壁には、後方側から後述する基板側接続部材４０を圧入して固定するための、後方から前方に向けて凹状に窪む被圧入部３９が設けられている。
【００３３】
基板側接続部材４０は、概ね、帯状の導電部材がクランク状に屈曲された形態をなしている。詳細には、基板側接続部材４０は、一端側（上端）が後方に向けて延びてＬＥＤ基板２６の実装面２６Ａの図示しない配線パターンに接続される配線接続部４１とされるとともに、中間部が上下方向に延びる連結部４２とされ、他端側（下端）が、上下方向に二股に分かれるとともに前方に延びて、上述した端子挿通孔３６を貫通することによりフード部３４内に突出した基板側端子４３とされている。
【００３４】
連結部４２には、上述した被圧入部３９に圧入して基板側接続部材４０を基板側ハウジング３１に固定するための圧入突部４５が、前方に向けて突出している。また、基板側端子４３のうち上側に配される６本の上側端子４３Ａは、フード部３４の上壁との間に隙間を有さず、上方に揺動しない状態とされている。また、基板側端子４３のうち下側に配される６本の下側端子４３Ｂは、先端側が上下方向に弾性変形可能とされている。上側端子４３Ａと下側端子４３Ｂとの間には、後述する給電側端子５１が挿入されて、両者の導通が図られるようになっている。なお、下側端子４３Ｂの先端部分には、給電側端子５１に係止する係止爪４６が上方に突出して設けられている。
【００３５】
なお、以下、このように基板側コネクタ３０のフード部３４内に基板側端子４３が突出している構成を、コネクタ嵌合部４７と称する。
【００３６】
（給電側コネクタ５０）
上述したコネクタ嵌合部４７には、給電側コネクタ５０（給電部材の一例）が嵌合されている。給電側コネクタ５０は、図示しないＬＥＤ駆動基板から延びる電線Ｗ（給電部材、配線の一例）の端末に接続された給電側端子５１と、給電側端子５１を内部に収容する合成樹脂製の給電側ハウジング５２と、を備えて構成されている。以下、給電側コネクタ５０について説明する場合は、基板側コネクタ３０との嵌合方向（図３の左側）を前方、嵌合離脱方向（図３の右側）を後方とする。
【００３７】
詳細には、給電側ハウジング５２は、給電側端子５１が後方から収容されるキャビティ５３を有する本体部５４と、本体部５４の下方に本体部５４と一体に設けられたロックアーム５５と、を備えている。給電側端子５１は、図示しないランスにより、キャビティ５３内に抜け止め状態に保持されている。
【００３８】
ロックアーム５５は、給電側ハウジング５２の後方側から前方に向けて片持ち状に延びており、弾性的に上下方向に傾動可能とされている。ロックアーム５５の前端部には、基板側ハウジング３１の係止リブ３７に係止するための係止爪５６が上方に向けて突出している。この係止爪５６の背面側（図３中右側）は、係止リブ３７の背面側（図３中左側）と重なり合うように形成されている。また、係止爪４６の上面は平坦面とされており、フード部３４の底面と重なり合うように設定されている。
【００３９】
給電側端子５１は、上述した基板側コネクタ３０の上側端子４３Ａおよび下側端子４３Ｂに挟持されることによりこれらと導通接続可能な端子接続部５１Ａと、端子接続部５１Ａの後方に設けられ、電線Ｗと接続可能な電線接続部５１Ｂとを備えて構成されている。端子接続部５１Ａは角筒状をなし、その内部に、前縁から折り返された形状をなす弾性接触部５７を備えている。また、端子接続部５１Ａのうち下側端子４３Ｂと対向する面には孔部が設けられている。孔部内に下側端子４３Ｂの係止爪４６が進入することにより、下側端子４３Ｂと弾性接触部５７とが弾性的に接触し、この部分でも導通接続が図られるとともに、抜け止めが図られるようになっている。
【００４０】
この給電側コネクタ５０は、基板側コネクタ３０のコネクタ嵌合部４７に対し、ＬＥＤ基板２６に沿う方向（Ｘ軸方向）から嵌合されており、電線Ｗは、その嵌合方向における背面からＬＥＤ基板２６に沿う方向（Ｘ軸方向）に延出されている。
【００４１】
本実施形態においては、基板側コネクタ３０に対し給電側コネクタ５０が正規の嵌合状態とされた場合に、ＬＥＤ基板２６のうち給電側コネクタ５０と電線Ｗとの境界部に対応する位置に、ＬＥＤ基板２６およびシャーシ２１（図３には図示せず）を貫通する視認用の円形の視認用貫通孔２８が設けられている。従って、表側から視認用貫通孔２８を見た場合に、基板側コネクタ３０と給電側コネクタ５０とが正規の嵌合状態とされている場合には、図５に示すように、視認用貫通孔２８内に給電側コネクタ５０と電線Ｗとが視認できるようになっている。なお、視認用貫通孔２８の位置は、両コネクタ３０，５０が正規の嵌合状態とされた場合に、給電側コネクタ５０と電線Ｗとの境界部が視認用貫通孔２８の中央を通るように設定されている。
【００４２】
これに対し、両コネクタ３０，５０が半嵌合状態とされた場合には、図６に示すように、給電側コネクタ５０と電線Ｗとの境界部分が視認用貫通孔２８の端に配されたり、給電側コネクタ５０しか視認されないことになるから、半嵌合状態であることがわかる。また、給電側コネクタ５０を挿し忘れた場合には、視認用貫通孔２８内に給電側コネクタ５０も電線Ｗも見えないから、挿し忘れであることが視認される。
【００４３】
次に、本実施形態の作用効果を説明する。本実施形態のバックライト装置２０は、ＬＥＤ２５を実装面２６Ａに実装したＬＥＤ基板２６と、ＬＥＤ基板２６のうち実装面２６Ａと反対側の反対面２６Ｂに配された基板側コネクタ３０のコネクタ嵌合部４７と、コネクタ嵌合部４７と導通接続される給電側コネクタ５０およびＬＥＤ基板２６に沿って延びる電線Ｗと、備え、ＬＥＤ基板２６を平面視した場合に、ＬＥＤ基板２６のうち、基板側コネクタ３０と嵌合された状態の給電側コネクタ５０および電線Ｗの少なくとも一方に対応する領域内に、実装面２６Ａ側から給電側コネクタ５０または電線Ｗを視認するための視認用貫通孔２８が設けられている。
【００４４】
このような構成によれば、基板側コネクタ３０と給電側コネクタ５０とが嵌合状態とされている場合には、視認用貫通孔２８内に給電側コネクタ５０および電線Ｗの少なくとも一方が視認できるから、液晶表示装置１０を表裏反転させたり、また、バックキャビネット１０ＣＢを一旦取り外したりすることなく、コネクタ嵌合部４７に給電側コネクタ５０が嵌合されているかどうかを容易に確認することができる。
【００４５】
また、給電側コネクタ５０は、ＬＥＤ基板２６に沿う方向からコネクタ嵌合部４７に嵌合されており、電線Ｗは、ＬＥＤ基板２６に沿う方向に配索されており、視認用貫通孔２８は、ＬＥＤ基板２６を平面視した場合に、両コネクタ３０，５０が正規の嵌合状態とされた状態の給電側コネクタ５０と電線Ｗとの境界部を含む領域に設けられている。
【００４６】
このような構成によれば、表側から視認用貫通孔２８を見た場合に、基板側コネクタ３０と給電側コネクタ５０とが正規の嵌合状態とされている場合には、視認用貫通孔２８内に給電側コネクタ５０と電線Ｗと両方が視認できる。これに対し、両コネクタ３０，５０が半嵌合状態とされた場合は給電側コネクタ５０しか視認されなかったり、場合によっては電線Ｗがわずかにしか見えないことになるから、半嵌合状態であることがわかる。また、給電側コネクタ５０を挿し忘れた場合には、視認用貫通孔２８内に給電側コネクタ５０も電線Ｗも見えないから、挿し忘れであることがわかる。
【００４７】
なお、視認用貫通孔２８の位置は、両コネクタ３０，５０が正規の嵌合状態とされた場合に、給電側コネクタ５０と電線Ｗとの境界部が視認用貫通孔２８の中央を通るように設定することが好ましい。
【００４８】
また基板側コネクタ３０は、ＬＥＤ基板２６に設けられたコネクタ挿通孔２７に挿通されて実装面２６Ａに形成された図示しない配線パターンに接続されている。このような構成によれば、ＬＥＤ基板２６を片面基板とすることができる上、スルーホールを形成する必要もないから、ＬＥＤ基板２６を安価に製造することができ、生産性にも優れる。
【００４９】
また、視認用貫通孔２８とコネクタ挿通孔２７とはそれぞれ独立して設けられているから、製造が容易であり、ＬＥＤ基板２６の強度も高くなる。
【００５０】
このように本実施形態によれば、基板側コネクタ３０と給電側コネクタ５０との嵌合状態を、バックライト装置２０を裏返したり、キャビネットＣＢを外したりしなくても、表側から容易に確認可能なバックライト装置２０、液晶表示装置１０、および、テレビ受信装置１０ＴＶが得られる。
【００５１】
＜実施形態２＞
実施形態２を図７を参照に説明する。本実施形態では、ＬＥＤ基板２６の視認用貫通孔２８に隣接する位置に、一対の目印２９が設けられているところが上記実施形態１と相違している。なお図７においては、実施形態１と同様の構成に同じ符号を付すこととする。
【００５２】
本実施形態のＬＥＤ基板２６の実装面２６Ａには、視認用貫通孔２８を挟んだ図７の上下方向に、二等辺三角形の目印２９が２つ並んで印刷されている。これらの二等辺三角形の目印２９は、それぞれ、視認用貫通孔２８に近い方に、２つの等辺の間の頂点Ｐが配されるように印刷されている。そして、これらの頂点Ｐを結んだ直線上に、正規の嵌合状態とされた給電側コネクタ５０の給電側ハウジング５２と電線Ｗとの境界部分が一致するようになっている。
【００５３】
このように本実施形態によれば、上記実施形態１の作用効果に加え、基板側コネクタ３０と給電側コネクタ５０との嵌合状態を、より正確に判別することが可能となる。
【００５４】
＜実施形態３＞
実施形態３を図８を参照に説明する。本実施形態では、視認用貫通孔１２８の形態が上記実施形態１と相違している。以下、実施形態１と異なる部分についてのみ説明し、図８において、実施形態１と同様の構成には同じ符号を付すこととする。
【００５５】
本実施形態の視認用貫通孔１２８は、ＬＥＤ基板を平面視した状態において、円形の代わりに、矢印状とされている。そして矢印の視認用貫通孔１２８が指し示す方向は、基板側コネクタ３０に対する給電側コネクタ５０の嵌合方向と一致している。また、矢印の山状とされた領域の底辺１２８Ａの位置が、正規の嵌合状態とされた給電側コネクタ５０と電線Ｗとの境界部分と一致するように設定されている。
【００５６】
このような本実施形態によれば、上記作用効果に加え、作業者は給電側コネクタ５０を基板側コネクタ３０に嵌合させる際に視認用貫通孔１２８を視認するだけでその嵌合方向を認識できるから、嵌合方向を間違え難く、作業性が向上する。
【００５７】
＜実施形態３の変形例＞
図９は、実施形態例３の変形例を示している。本実施形態の視認用貫通孔２２８も矢印状とされているが、矢印が指し示す方向は、ＬＥＤ基板２６の上下方向の設置向きを示すものとされている。また、矢印の先端から視認用貫通孔２２８を二等分割する仮想の直線が、正規の嵌合状態とされた給電側コネクタ５０と電線Ｗとの境界部分と一致するように、その位置が設定されている。
【００５８】
ＬＥＤ基板２６を複数組み合わせてバックライト装置２０を構成する場合には、ＬＥＤ基板２６の設置向きを誤り易くなるが、このような本実施形態によれば、ＬＥＤ基板２６の設置向きが一目でわかるため、誤った方向で組み立てることが抑制される。
【００５９】
＜他の実施形態＞
本発明は上記記述及び図面によって説明した実施形態に限定されるものではなく、例えば次のような実施形態も本発明の技術的範囲に含まれる。
【００６０】
（１）上記実施形態では、被給電部を基板側コネクタ３０のコネクタ嵌合部４７とし、給電部材を、基板側コネクタ３０と嵌合される給電側コネクタ５０および電線Ｗとしたが、被給電部および給電部材は上記実施形態に限るものではない。例えば、被給電部を給電部材と直接接続される配線パターンとしたり、給電部材をフラットケーブルやフレキシブル基板とすることも可能である。
【００６１】
（２）上記実施形態では、基板側コネクタ３０がＬＥＤ基板２６のコネクタ挿通孔２７に挿通されて実装面２６Ａ側の配線パターンに接続される構成を示したが、ＬＥＤ基板を両面基板とし、基板側コネクタを反対面側に直接実装する構成としてもよい。
【００６２】
（３）上記実施形態では、視認用貫通孔２８，１２８，２２８は、ＬＥＤ基板２６のうち、正規嵌合状態の給電側コネクタ５０および電線Ｗの双方を含む位置に設けられる構成を示したが、視認用貫通孔は、どちらか一方を視認できる位置に設けてもよい。
【００６３】
（４）基板側コネクタ３０に対する給電側コネクタ５０の嵌合方向は上記実施形態に限るものではなく、例えば、ＬＥＤ基板に対して垂直方向に嵌合される構成でもよい。この場合、配線をＬＥＤ基板に沿う方向に配索するようにすれば、配線を視認可能な位置に視認用貫通孔を設けることができる。
【００６４】
（５）上記実施形態では、コネクタ挿通孔２７と視認用貫通孔２８，１２８，２２８を別個に設ける構成を示したが、コネクタ挿通孔と視認用貫通孔を連結させた構成も本発明の技術的範囲に含まれる。ただし、製造の容易さや強度的には、両者を別個に設けることが好ましい。
【００６５】
（６）実施形態２で設けた目印２９は、二等辺三角形に限らず、任意の形状とすることができる。また、視認用貫通孔２８の両側に設けなくても、片側に設ける構成としてもよい。
【符号の説明】
【００６６】
１０ＴＶ：テレビ受信装置、１０：液晶表示装置（表示装置）、１１：液晶パネル（表示パネル）、２０：バックライト装置（照明装置）、２５：ＬＥＤ（光源）、２６：ＬＥＤ基板（光源基板）、２６Ａ：実装面、２６Ｂ：反対面、２７：コネクタ挿通孔、２８，１２８，２２８：視認用貫通孔、２９：目印、３０：基板側コネクタ、４７：コネクタ嵌合部（被給電部）、５０：給電側コネクタ（給電部材）、Ｗ：電線（配線、給電部材）
【図１】
2020047546.tif 000003
【図２】
2020047546.tif 000004
【図３】
2020047546.tif 000005
【図４】
2020047546.tif 000006
【図５】
2020047546.tif 000007
【図６】
2020047546.tif 000008
【図７】
2020047546.tif 000009
【図８】
2020047546.tif 000010
【図９】
2020047546.tif 000011